(57)【特許請求の範囲】
【請求項１】
路面に複数の検出穴を穿孔し、該検出穴内に滞留するガスの濃度を検出比較して路面下に埋設されている管路の漏洩位置を特定する埋設管の漏洩位置特定方法であって、
路面下に滞留するガスを吸引するための複数の吸引穴を穿孔するとともに、前記ガスを吸引するのに伴って路面下に空気が入り込み自在な少なくとも一つの空気入り込み穴を前記検出穴とは別に穿孔し、前記管路の漏洩位置から漏洩し前記路面下に拡散したガスを前記複数の吸引穴を介して吸引しつつ、前記空気入り込み穴を介して路面下に空気を入り込ませるガス排出作業を、前記ガス濃度を検出するのに先立って施し、その後に前記ガス濃度を検出比較し、前記複数の検出穴のうちガス濃度の高い検出穴近傍に漏洩位置が存在すると判断することを特徴とする、埋設管の漏洩位置特定方法。
【請求項２】
前記検出穴が吸引穴を兼ねるものであることを特徴とする、請求項１記載の埋設管の漏洩位置特定方法。
【請求項３】
前記空気入り込み穴を所定間隔ごとに穿孔することを特徴とする、請求項１又は２記載の埋設管の漏洩位置特定方法。
【請求項４】
前記空気入り込み穴を互いに重複しない所定範囲ごとに穿孔する、請求項１又は２記載の埋設管の漏洩位置特定方法。
【発明の詳細な説明】
【０００１】
【発明の属する技術分野】
本発明は、ガス埋設管において漏洩が発生している位置を地上から特定するための埋設管の漏洩位置特定方法に関する。
【０００２】
【従来の技術】
従来、埋設管の漏洩位置を特定する手段として、図３に示すような手段（従来の第１例の手段）が採用されている。すなわち、埋設管Ｐにおいて漏洩が発生していると思われる付近に、所定間隔を隔てて検出穴Ａ，検出穴Ｂ，検出穴Ｃ，検出穴Ｄ，検出穴Ｅをボーリングする。そして前記検出穴Ａ，Ｂ，Ｃ，Ｄ，Ｅに、それぞれガス濃度センサー及び吸引器を備えた検出器ａ，ｂ，ｃ，ｄ，ｅを挿入し、前記各検出穴内のガスを吸引しながら濃度を検出してガス濃度表示器ｆに表示させる。
【０００３】
図示の例の場合、該ガス濃度表示器ｆに表示される濃度値は、漏洩部Ｑ近い検出穴Ｂで最も高くなる。そこで、ガス濃度が一番高い検出穴Ｂ付近に漏洩部Ｑがあると特定し、検出穴Ｂの付近を掘削して漏洩部２の修理を行うようにしている。尚、上述のように各検出穴Ａ，Ｂ，Ｃ，Ｄ，Ｅ内のガスを吸引するのは、前記埋設管Ｐの漏洩部Ｑから漏洩したガスが地面内に充満していた場合に、すべての検出穴Ａ，Ｂ，Ｃ，Ｄ，Ｅで高いガス濃度が検出され、漏洩位置の特定が困難になるので、これを防止するために行う。従って、場合によっては、検出穴Ａ，Ｂ，Ｃ，Ｄ，Ｅ内に吸引ホースを挿入して吸引ポンプを稼働させ、一旦検出穴内に滞留するガスを排出させた後に検出穴内に検出器を挿入して、ガス濃度の検出を行うこともある。
【０００４】
また、従来の第２例の手段として、滞留するガスを吸引するのに代えて、前記検出穴内にブロワ等により空気を送り込むことによって前記滞留ガスを検出穴を設けた位置から排除し、正確なガス濃度の検出を行えるようにする技術も知られている。
【０００５】
更に、特開平３−２８５１３３号公報には、前記検出穴とは異なる位置に１個の吸引穴を穿孔し、該吸引穴から滞留ガスを吸引しつつ検出穴に挿入した検出器によりガス濃度を検出する技術が開示されている。
【０００６】
【発明が解決しようとする課題】
しかしながら、上述したような各例においては、それぞれ以下のような不都合がある。まず、滞留ガスを吸引する従来の第１例の手段の場合、滞留するガスを吸引するのに時間が嵩んでしまい、漏洩位置を特定する作業に長時間を要してしまう。特に、ガス濃度検出に先立って一旦検出穴内に滞留するガスを排出する場合には、漏洩位置を特定する作業を完了するまでに長時間を要してしまう。
【０００７】
次に、空気を検出穴に吹き込むことにより滞留ガスを排除する従来の第２例の手段の場合、吹き込んだ空気により滞留ガスが路面上等に拡散し、引火の危険性が伴う等、危険な状態になる場合がある。
【０００８】
また、特開平３−２８５１３３号公報に記載された手段の場合、以下のような理由により正確なガス検出を行えない場合がある。すなわち、漏洩部Ｑから離れた位置（例えば図３のＲ位置）に１個の吸引穴Ｇが穿孔された場合、該吸引穴Ｇから滞留ガスを吸引することにより、前記漏洩部Ｑに対応する検出穴Ｂとは異なる検出穴Ｃ，Ｄ，Ｅ部分にガスが吸い寄せられ、前記検出穴Ｂで検出されるガス濃度よりも前記検出穴Ｃ，Ｄ，Ｅで検出されるガス濃度の方が高くなってしまう場合がある。このような場合、漏洩箇所を修理すべくガス濃度の高い検出穴Ｃ，Ｄ，Ｅ近傍を掘削しても、埋設管Ｐには漏洩箇所が発見できない。しかも、滞留ガスの吸引が迅速に行われるわけではなく、依然として漏洩位置の特定作業に長時間を要してしまう。
【０００９】
本発明は、上述の問題点に鑑み、迅速且つ正確に漏洩位置を特定できる埋設管の漏洩位置特定方法を提供することを目的とする。
【００１０】
【課題を解決するための手段】
前記の目的を達成するため、本発明は、路面に複数の検出穴を穿孔し、該検出穴内に滞留するガスの濃度を検出比較して路面下に埋設されている管路の漏洩位置を特定する埋設管の漏洩位置特定方法であって、路面下に滞留するガスを吸引するための複数の吸引穴を穿孔するとともに、前記ガスを吸引するのに伴って路面下に空気が入り込み自在な少なくとも一つの空気入り込み穴を穿孔し、前記漏洩位置から漏洩し前記路面下に拡散したガスを前記複数の吸引穴を介して吸引しつつ、前記空気入り込み穴を介して路面下に空気を入り込ませるガス排出作業を、前記ガス濃度を検出するのに先立って施し、その後に前記ガス濃度を検出比較し、前記複数の検出穴のうちガス濃度の高い検出穴近傍に漏洩位置が存在すると判断することを特徴とする。
【００１１】
前記検出穴と吸引穴とは独立して設ける他、請求項２に記載したように検出穴が吸引穴を兼ねるようにしても良い。また、前記空気入り込み穴は、請求項３に記載したように所定間隔ごとに穿孔したり、或いは、請求項４に記載したように互いに重複しない所定範囲ごとに穿孔することができる。
【００１２】
【作用】
上述のような漏洩位置特定装置によると、まず漏洩が発生していそうな付近に所定間隔を隔てて複数の検出穴をボーリング穿孔する。また、前記検出穴と同様、吸引穴と空気入り込み穴とをボーリング穿孔する。検出穴に吸引穴を兼ねさせる場合は、検出穴と空気入り込み穴とを穿孔すれば良いことは勿論である。
【００１３】
次いで、該吸引穴（検出穴とは別個に吸引穴を設けた場合）、或いは該検出穴（検出穴に吸引穴を兼ねさせた場合）に吸引ホースを挿入して吸引装置を稼働させ、地面内に拡散しているガスを吸引する。この際、ガスの吸引に伴って空気入り込み穴から地面内に空気が入り込むため、前記ガスの排出が効率良く行われる。
【００１４】
この後、検出穴内に挿入した検出器により、ガス濃度を検出し、漏洩位置の特定作業を行う。尚、検出穴が吸引穴を兼ねる場合は、前記検出器を前述したようなガス濃度センサー及び吸引機を備えたものとすることで、滞留ガスを吸引しつつガス濃度を検出し、この検出値が安定した状態で読み取るようにすることができる。また、検出穴が吸引穴を兼ねる場合であっても、別個に設ける場合であっても、滞留ガスの吸引作業を終了した後に検出穴に検出器を挿入し、ガス濃度の検出を行うようにしても良い。
【００１５】
本発明の方法によれば、滞留ガスを吸引するのに伴って空気が地面下に入り込むため地面下のガス濃度が短時間で低下する。従って、漏洩位置の特定作業を短時間で行えるようになる。また、漏洩位置に対応しない検出穴にガスが吸い寄せられ、これら検出穴出のガス濃度が高くなることも、吸引穴を複数設けることにより防止される。従って、正確なガス濃度検出を行える。これらの結果、迅速且つ正確に漏洩位置の特定作業を行える。
【００１６】
【発明の実施の形態】
以下、本発明による埋設管の漏洩位置特定方法の実施の形態の１例について、図面を参照しつつ説明する。
図１は本発明の漏洩位置特定方法を説明するための略図である。
本例においては、図１に示すように、路面下に滞留するガスを吸引するための複数の吸引穴Ａ，Ｂ，Ｃ，Ｄを路面にボーリング穿孔する。本例の場合、検出穴Ａ，Ｂ，Ｃ，Ｄに吸引穴を兼ねさせている。すなわち、埋設管Ｐが埋設されている路面の所定間隔ごとに、ガス濃度を検出するための検出器（ガス濃度センサー）を挿入自在な検出穴を穿孔するが、これら検出穴を、路面下に滞留するガスを吸引するための吸引穴として利用する。尚、検出穴と吸引穴とは個別に穿孔することもできる。但し、作業性の面からは、検出穴を吸引穴として利用するのが好ましい。
【００１７】
さらに、前記ガスを吸引するのに伴って路面下に空気が入り込み自在な複数の空気入り込み穴Ｔ，Ｕ，Ｖを、前記複数の検出穴（吸引穴）Ａ，Ｂ，Ｃ，Ｄの近傍にボーリング穿孔する。これら空気入り込み穴Ｔ，Ｕ，Ｖは、本例の場合、隣り合う検出穴（吸引穴）Ａ，Ｂ，Ｃ，Ｄの間位置に設けている。尚、これら空気入り込み穴を、例えば図２（Ａ）に示すように所定間隔Ｌごとに穿孔したり、或いは、図２（Ｂ）に示すように互いに重複しない所定範囲Ｓごとに穿孔することができる。これらＬ、Ｓの値は設計的に定める。但し、好ましくは、検出穴（吸引穴）と空気入り込み穴とを交互に設ける。
【００１８】
前記検出穴（吸引穴）Ａ，Ｂ，Ｃ，Ｄには、吸引装置（ブロワ）１から延出する複数の吸引ホース２の先端部を挿入し、各検出穴（吸引穴）Ａ，Ｂ，Ｃ，Ｄより吸引作業を行う。この吸引作業を行うことにより、前記空気入り込み穴Ｔ，Ｕ，Ｖを介して空気が地面下に入り込む。そして所要時間吸引作業を行った後、吸引装置１を停止させる。上記のように、吸引作業を行うことにより、前記空気入り込み穴Ｔ，Ｕ、Ｖを介して空気が地面下に入り込むため、滞留ガスの排出作業が効率良く、迅速に行われる。しかも、吸引されたガスは、吸引装置１を介して別途タンク等に送り込まれるため、引火の危険等、各種危険を回避し安全に作業を行える。勿論、前記吸引装置１等には防爆手段を付設しておく。
【００１９】
滞留ガスの排出作業を終えたならば、前述した従来方法と同様、各検出穴Ａ，Ｂ，Ｃ，Ｄにガス濃度センサーを挿入し、前記ガス濃度を検出比較する。これら検出値は、図示のように表示器３に表示されるため、前記複数の検出穴Ａ，Ｂ，Ｃ，Ｄのうちガス濃度の高い検出穴近傍（図示の例の場合、検出穴Ｂ近傍）に漏洩位置が存在すると判断する。但し、正確を期すために、滞留ガスの排出及びガス濃度センサーによるガス濃度の検出は、複数サイクル行い、各検出穴Ａ，Ｂ，Ｃ，Ｄごとのガス濃度の平均値を求めて上記表示器３に表示させる。そして一番高い濃度を得られた検出穴Ｂの付近を漏洩箇所と特定する。
【００２０】
尚、検出穴が吸引穴を兼ねる場合、前記検出器を、ガス濃度センサー及び吸引器を備えたものとし、滞留ガスを吸引しつつガス濃度の検出値を測定し、この検出値が安定した状態で読み取るようにしても良い。
【００２１】
本発明の方法によれば、滞留ガスを吸引するのに伴って空気が地面下に入り込むため地面下のガス濃度が短時間で低下する。しかも、吸引したガスは別途設けたタンク等に送り込み、安全な場所で放散するため、作業の安全を確保できる。また、漏洩位置に対応しない検出穴にガスが吸い寄せられ、これら検出穴出のガス濃度が高くなることも、吸引穴を複数設けることにより防止される。従って、正確なガス濃度検出を行える。これらの結果、迅速且つ正確に漏洩位置の特定作業を行える。
【００２３】
【発明の効果】
以上説明したように、本発明による埋設管の漏洩位置特定方法によると、滞留ガスの吸引を迅速に行えるとともに、正確なガス濃度検出を行える。この結果、漏洩位置を迅速且つ正確に特定することが可能になる。
【図面の簡単な説明】
【図１】本発明の実施の形態の１例を示す略図
【図２】空気入り込み穴の穿孔箇所を例示する、それぞれ略平面図
【図３】従来の第１例の手段を説明するための図
【符号の説明】
１  吸引装置（ブロワ）
２  吸引ホース
３  表示器
Ｐ  埋設管路
Ｑ  漏洩位置
【図１】
0003573579.tif 000002
【図２】
0003573579.tif 000003
【図３】
0003573579.tif 000004